(57)【要約】【課題】操作軸を検出する検出手段のうち互いに隣り合う検出手段の間に操作軸が位置することを規制する状態と、互いに隣り合う検出手段の間に操作軸が位置することを許容する状態とが切り換え可能な操作装置を提供する。【解決手段】操作装置１は操作軸１１と規制部材８と切り換え機構２１を備えている。操作軸１１は揺動自在に支持されている。操作軸１１は検出スイッチに一端部１１ａが接触したことが検出される。規制部材８は一端部１１ａをいずれかの検出スイッチ１３に接触させる。切り換え機構２１は規制部材８が一端部１１ａをいずれかの検出スイッチ１３に接触させる規制状態と操作軸１１が互いに隣り合う検出スイッチ１３の間に位置することを許容する非規制状態とを切り換え可能である。【選択図】図９
2005222256.tif 000002
【特許請求の範囲】
【請求項１】
一端部を中心として多方向に揺動自在な操作軸と、
前記操作軸の一端部を中心とした周方向に複数設けられているとともに、前記操作軸が揺動したことを検出する検出手段と、を備え、
前記操作軸の揺動方向を規制する規制手段と、
前記規制手段により前記操作軸の揺動方向が規制される規制状態と規制されない非規制状態とを切り換え可能な切換手段と、
を備えたことを特徴とする操作装置。
【請求項２】
前記規制状態は、前記操作軸が互いに隣り合う検出手段の間に向かって揺動された際に前記検出手段のうちのいずれか一方に導かれる状態であることを特徴とする請求項１記載の操作装置。
【請求項３】
前記規制手段は、揺動された操作軸に当接してその揺動方向を規制する凸部を有する規制部材を備え、
前記切換手段は、前記操作軸の長手方向に沿って連なるように前記操作軸に設けられた細部と太部と、前記操作軸と前記規制部材のうち少なくとも一方を前記長手方向に沿って移動自在にする移動手段を備え、
前記移動手段によって前記細部と前記凸部とが位置決めされることにより前記非規制状態とし、前記太部と前記凸部とが位置決めされることにより前記規制状態とすることを特徴とする請求項１又は２に記載の操作装置。
【請求項４】
移動手段は、
前記操作軸の長手方向に対し交差する方向に沿って移動自在に設けられた移動部材と、
前記規制部材と前記移動部材のうち一方に設けられかつこの一方から他方に向かって突出した突出ピンと、
前記規制部材と前記移動部材のうち他方に設けられかつ前記突出ピンが侵入するとともに、前記移動部材の移動方向と前記操作軸の長手方向との双方に対し交差する方向に沿って延在している挿入孔と、を備え、
前記移動部材を移動して、前記挿入孔内の突出ピンの位置を変更することで、前記規制部材を前記操作軸の長手方向に沿って移動することを特徴とする請求項３記載の操作装置。
【請求項５】
前記規制部材は、弾性材料からなることを特徴とする請求項２ないし請求項４のうちいずれか一項に記載の操作装置。
【発明の詳細な説明】
【技術分野】
【０００１】
本発明は、例えば、ナビゲーション装置やゲーム装置などの各種の電子機器の各種の操作を行うためなどに用いられる操作装置に関する。
【背景技術】
【０００２】
例えば、移動体としての自動車のインストルメントパネル（以下インパネと呼ぶ）には、電子機器としてのナビゲーション装置（以下カーナビと呼び、例えば、特許文献１参照）が取り付けられる。カーナビは、ＧＰＳ（Global Positioning System）測位データなどに基づいてナビゲーションシステム全体の処理を行う箱状の装置本体と、この装置本体に取り付けられかつ地図データなどを表示する表示部としてのディスプレイと、前記装置本体に各種の情報を入力するための操作装置とを備えている。
【０００３】
前記ディスプレイは、地図データを表示する。また、ディスプレイは、目的地などを入力する際に、あ〜んまでの平仮名などの各種の文字や数字を格子状に配して、これらの文字や数字を表示する。操作装置は、例えば、ディスプレイに表示される地図データの表示領域を所望の方向に移動させるために用いられる。また、操作装置は、目的地などを装置本体に入力するために、前述したようにディスプレイに表示された各種の文字や数字から所望の文字や数字を選択して、前記装置本体に入力するために用いられる。
【０００４】
操作装置は、箱状の本体部と、この本体部に一端部を中心として多方向に揺動自在に支持された操作軸と、本体部内に収容された複数の検出手段としての検出スイッチと、を備えている。検出スイッチは、操作軸の一端部を中心とした周方向に沿って、等間隔に例えば８つなどの複数設けられている。
【０００５】
検出スイッチは、本体部に対し操作軸が揺動して、操作軸の一端部が接触したことを検出する。それぞれの検出スイッチは、前記操作軸の一端部を円弧の中心とした扇形の検出領域内にこの操作軸の一端部が侵入し、該一端部が接触する。複数の検出スイッチの検出領域は、互いに間隔をあけずに重ならないようになっている。
【０００６】
また、検出スイッチは、操作軸の一端部が接触することで、検出領域内に向かって操作軸の他端部が倒れるように、操作軸が本体部に対して揺動したことを検出する。また、前述した操作装置は、複数の検出スイッチのうちいずれかの検出スイッチに操作軸の一端部が接触することで、操作軸が本体部に対し倒れた方向を検出する。
【０００７】
前述した操作装置は、本体部に対し操作軸が揺動すると、複数の検出スイッチのうちいずれかの検出スイッチが、操作軸の一端部が接触したことを検出する。すると、操作装置は、検出した検出スイッチ則ち操作軸の倒れた方向を示す情報を装置本体に出力する。すると、カーナビは、操作軸の倒れた方向に沿って、ディスプレイが表示する地図データの表示領域を移動する。
【０００８】
カーナビは、ディスプレイに地図データを表示する際に、操作装置の操作軸を本体部に対し揺動することで、ディスプレイに表示される地図データの表示領域を移動させる。また、カーナビは、ディスプレイに前述した文字や数字を表示する際に、操作装置の操作軸を本体部に対し揺動することで、ディスプレイに表示される文字や数字上のカーソル（Cursor）を移動させる。
【０００９】
前述したカーナビは、例えば、前述した検出スイッチが８つ設けられた場合には、上方向、下方向、左方向、右方向または左上方向などの合計８方向に前述した地図データやカーソルを移動する。
【特許文献１】特開平１０−３０１４８５号公報
【発明の開示】
【発明が解決しようとする課題】
【００１０】
前述した操作装置は、隣り合う検出スイッチの間に向けて操作軸を倒すと、前述した互いに隣り合う検出スイッチのうち一方に、前述した操作軸の一端部が接触する。このため、操作軸を前述した隣り合う検出スイッチの間に向けて倒すと、使用者が意図しない方の検出スイッチが検出することがあった。
【００１１】
前述した従来のカーナビに用いられてきた操作装置は、前述したように、地図データの表示領域を移動する際には、何らの節度感やクリック感を使用者に付与することなく、操作軸を揺動することが望まれている。このため、地図データの表示領域を移動する際には、隣り合う検出スイッチの間に向けて操作軸を倒して、使用者が意図しない方の検出スイッチが検出しても、実用上問題無く、ディスプレイ上の地図データの表示領域を移動させることができる。
【００１２】
また、ディスプレイに前述した文字や数字を表示して、これらの文字や数字からなる情報を装置本体に入力する際には、前述したカーソルを容易で確実に所望の文字や数字上に位置付けることが望まれている。このため、この場合、隣り合う検出スイッチの間に向けて操作軸が倒されて、使用者が意図しない方の検出スイッチに操作軸の一端部が接触することは望ましくない。
【００１３】
このため、前述したカーナビなどに用いられる操作装置は、複数の検出スイッチなどの隣り合う検出手段の間に操作軸が位置することを規制する状態と、複数の検出スイッチなどの隣り合う検出手段の間に操作軸が位置することを許容する状態とが切り換え可能であるのが望ましい。
【００１４】
勿論、操作装置は、前述したように文字や数字を入力する際には、複数の検出スイッチなどの隣り合う検出手段の間に操作軸が位置することを規制する状態となる。操作装置は、前述したように地図データの表示領域を移動させる際には、複数の検出スイッチなどの隣り合う検出手段の間に操作軸が位置することを許容する状態となる。
【００１５】
上記した問題点を鑑みてなされた本発明の目的の一例は、操作軸を検出する検出手段のうち互いに隣り合う検出手段の間に操作軸が位置することを規制する状態と、互いに隣り合う検出手段の間に操作軸が位置することを許容する状態とが切り換え可能な操作装置を提供することにある。
【課題を解決するための手段】
【００１６】
前記課題を解決し目的を達成するために、請求項１に記載の本発明の操作装置は、一端部を中心として多方向に揺動自在な操作軸と、前記操作軸の一端部を中心とした周方向に複数設けられているとともに、前記操作軸が揺動したことを検出する検出手段と、を備え、前記操作軸の揺動方向を規制する規制手段と、前記規制手段により前記操作軸の揺動方向が規制される規制状態と規制されない非規制状態とを切り換え可能な切換手段とを備えたことを特徴としている。
【発明を実施するための最良の形態】
【００１７】
この発明の操作装置は、切換手段により、規制手段が操作軸の揺動方向を規制する規制状態と、規制手段が操作軸の揺動方向を規制せずに操作軸が互いに隣り合う検出手段の間に位置することを許容する非規制状態とが切り換え可能になっている。これにより、互いに隣り合う検出手段の間に操作軸が位置することを規制する状態と、互いに隣り合う検出手段の間に操作軸が位置することを許容する状態とを切り換え可能としたものである。
【００１８】
また、前記規制状態は、前記操作軸が互いに隣り合う検出手段の間に向かって揺動された際に前記検出手段のうちのいずれか一方に導かれる状態であっても良い。
【００１９】
規制手段が、凸部を有した規制部材を備えても良い。切換手段は、操作軸に設けられた太部と、細部と、操作軸と規制部材のうち少なくとも一方を移動させる移動手段とを備えも良い。
【００２０】
また、この発明では、操作軸を移動して、操作軸と規制部材とを相対的に移動させても良い。
【００２１】
さらに、この発明では、規制部材を移動して、操作軸と規制部材とを相対的に移動させても良い。
【００２２】
また、移動手段は、移動自在に設けられた移動部材と規制部材とのうち一方に設けられた突出ピンと、他方に設けられ移動部材の移動方向と操作軸の長手方向との双方に交差する方向に沿って延在しかつ突出ピンが侵入する挿入孔とを備えても良い。そして、移動手段は、移動部材を移動することで、挿入孔内の突出ピンの位置を適宜変更して、規制部材を移動して、操作軸と規制部材とを相対的に移動させても良い。
【００２３】
また、規制部材が、弾性材料から構成されても良い。
【実施例】
【００２４】
本発明の第１の実施例にかかる操作装置を図１乃至図１７を参照して説明する。図２などに示す操作装置１は、移動体としての自動車のインストルメントパネルに装着される図１に示すナビゲーション装置２（以下カーナビと呼ぶ）に取り付けられる。カーナビ２は、本明細書に記した電子機器をなしている。
【００２５】
カーナビ２は、図１に示すように、装置本体２０と、ディスプレイ３とを備えている。装置本体２０は、箱状に形成されている。装置本体２０は、ＧＰＳ（Global Positioning System）測位データなどに基づいてナビゲーションシステム全体の処理を行う。
【００２６】
ディスプレイ３は、装置本体２０に取り付けられている。ディスプレイ３は、図４に示すように、地図データＡや、図示しないあ〜んまでの平仮名などの各種の文字や数字を格子状に配置してこれらの文字や数字を表示する。操作装置１は、ディスプレイ３に表示される地図データＡの表示領域を、例えば、上方向、下方向、左方向、右方向または左上方向などの合計８方向に移動させる。
【００２７】
操作装置１は、地図データＡの表示領域を前述した８方向に画面移動させることで、ディスプレイ３に一度に表示できる範囲を超えた広範囲の地図データＡをディスプレイ３に表示する。
【００２８】
また、操作装置１は、前述したようにディスプレイ３に表示された各種の文字や数字のうち所望の文字や数字上にカーソルを位置付けるために、該カーソルを移動するために用いられる。操作装置１は、カーソルを所望の文字や数字上に位置付けて、この所望の文字や数字を選択して、装置本体２０に入力するために用いられる。操作装置１は、前述したように文字や数字を選択して、例えば、目的地などを装置本体２０に入力する。このように、操作装置１は、前述したカーナビ２などの電子機器の各種の操作を行うためなどに用いられる。
【００２９】
操作装置１は、図２及び図３ように、カバー４と、ジョイスティック５と、ノブ６と、切換手段としての切り換え機構２１とを備えている。カバー４は、有底筒状の下カバー７と、規制手段を備えている。下カバー７は、ジョイスティック５の後述の支持部１０を収容する。
【００３０】
規制手段は、平板状の規制部材８を備えている。規制部材８の中央には、通し孔９が貫通している。通し孔９は、内側に後述の操作軸１１を通す。規制部材８の通し孔９の詳細な構成は後述する。カバー４は、下カバー７内に支持部１０を収容しかつ通し孔９内に操作軸１１を通して、下カバー７と規制部材８とが互いに固定される。カバー４は、下カバー７と規制部材８とが互いに固定されて、内側にジョイスティック５の支持部１０を収容する。
【００３１】
ジョイスティック３は、図２及び図３に示すように、箱状の支持部１０と、棒状の操作軸１１とを備えている。支持部１０は、直方体状に形成されている。この支持部１０と、前述したカバー４とで、本体部１２を構成している。
【００３２】
操作軸１１は、図９及び図１１に示すように、後述の太部２２と、細部２３と、係止部２４とを一体に備えている。太部２２と細部２３と係止部２４とは、互いに同軸に配されており、互いに直列に連結している。係止部２４は、太部２２と細部２３と係止部２４のうち操作軸１１の最も一端部１１ａ側に設けられている。係止部２４は、後述の移動部２５に係止して、この移動部２５に取り付けられる。細部２３は、太部２２と細部２３と係止部２４のうち操作軸１１の最も他端部１１ｂ側に設けられている。太部２２は、細部２３より一端部１１ａ側に設けられている。
【００３３】
操作軸１１は、一端部１１ａが支持部１０内に収容されており、他端部１１ｂが、支持部１０から突出している。操作軸１１の他端部１１ｂは、カバー４則ち本体部１２外に露出する。操作軸１１は、一端部１１ａを中心として多方向に揺動自在に支持部１０に支持されている。このため、操作軸１１は、本体部１２に一端部１１ａを中心として多方向に揺動自在に支持されている。
【００３４】
このため、操作軸１１は、図５中に矢印Ｋ１からＫ８それぞれに沿って、一端部１１ａを中心として支持部１０に対し揺動自在となっている。操作軸１１は、図１０及び図１２に示すように一端部１１ａを中心として支持部１０に対し揺動して支持部１０に対して倒れた状態で、図５中の矢印Ｋに沿って回転自在である。さらに、操作軸１１は、矢印Ｋ１からＫ８の相互間の如何なる向きに、一端部１１ａを中心として支持部１０に対し揺動自在となっている。
【００３５】
また、操作軸１１は、図示しない付勢手段により、支持部１０の上面に対し直交する方向に沿う状態（図９及び図１１に示す）に付勢されている。図９及び図１１に実線で示す長手方向が支持部１０の上面に対し直交する状態では、操作軸１１は、支持部１０に対し倒れていない（揺動していない）状態をなしている。図９及び図１１に実線で示す操作軸１１及びノブ６の位置を、以下中立位置と記す。又、中立位置では、操作軸１１の一端部１１ａは、いずれの検出スイッチ１３にも接触していない。
【００３６】
また、支持部１０内には、図６に示すように、検出手段としての検出スイッチ１３が複数収容されている。このため、操作装置１は、複数の検出スイッチ１３を備えている。検出スイッチ１３は、図６に示すように、操作軸１１の一端部１１ａを中心とした周方向に沿って、等間隔に並べられている。検出スイッチ１３は、それぞれ、操作軸１１が支持部１０に対し揺動して、この操作軸１１の一端部１１ａが図６中に平行斜線で示す検出領域Ｒ内に侵入すると、操作軸１１の一端部１１ａが接触する。検出スイッチ１３は、一端部１１ａが接触することで、操作軸１１が揺動したことを検出する。
【００３７】
このように、検出スイッチ１３は、操作軸１１の一端部１１ａが近づくと、この操作軸１１の一端部１１ａが接触したことを検出する。検出スイッチ１３は、操作軸１１の一端部１１ａが接触したことを検出する則ち操作軸１１の一端部１１ａが検出領域Ｒ内に侵入したことを検出すると、このことを示す情報を装置本体２０則ちカーナビ２に向かって出力する。装置本体２０は、前述した情報を出力した検出スイッチ１３に応じて、地図情報Ａ又はカーソルを移動する。なお、図６中の最も上方に位置する検出スイッチ１３（以下符号１３ａで示す）に操作軸１１の一端部１１ａが接触したことを検出すると、ディスプレイ３は、地図情報Ａ又はカーソルを図４中の上方向に移動する。
【００３８】
また、各検出スイッチ１３の検出領域Ｒは、前述した操作軸１１の軸芯則ち一端部１１ａを円弧の中心とした扇形に形成されている。また、図示例では、検出スイッチ１３は、８つ設けられてており、各検出スイッチ１３の検出領域Ｒの中心角θは４５度（degree）となっている。
【００３９】
複数の検出領域Ｒは、互いに間隔をあけずに重なることなく並べられている。このため、操作軸１１が中立位置から支持部１０に対し揺動すると、複数の検出スイッチ１３のうちいずれか一つの検出スイッチ１３に、操作軸１１の一端部１１ａが接触したことを検出する。また、互いに隣り合う（隣り合う）検出領域Ｒ間には、図６中に一点鎖線で示す境界Ｂが形成されている。境界Ｂは、互いに隣り合う（隣り合う）検出領域Ｒ間それぞれに設けられている。これらの境界Ｂは、操作軸１１の軸芯則ち一端部１１ａから放射状に伸びている。
【００４０】
ノブ６は、図２及び図３に示すように、円盤状に形成されており、操作軸１１の他端部１１ｂに取り付けられる。ノブ６の外径は、操作軸１１の外径より十分に大きい。また、ノブ６は、操作軸１１に同軸的に取り付けられる。
【００４１】
規制部材８の中央に設けられた通し孔９は、該規制部材８を貫通している。通し孔９は、内側に操作軸１１を通す。規制部材８は、通し孔９内に操作軸１１を通して、下カバー７に取り付けられる。このとき、通し孔９は、中立位置の操作軸１１と同軸になる。
【００４２】
通し孔９の内縁１６には、図７及び図８に示すように、凸部１７と凹部１８とが交互に設けられている。通し孔９の内縁１６は、凹凸状に形成されている。凸部１７では、通し孔９の内縁１６は、該通し孔９の中心Ｃに向かって凸に形成されている。凹部１８では、通し孔９の内縁１６は、該通し孔９の中心Ｃから離れる方向に凹に形成されている。凸部１７は、凹部１８より通し孔９の中心Ｃ寄りに配されている。凹部１８は、凸部１７より通し孔９の中心Ｃから離れている。
【００４３】
また、凸部１７の最も通し孔９の中心Ｃ寄りの頂部１７ａは、図７に示すように、中立位置の操作軸１１の長手方向に沿って、前述した境界Ｂと並ぶ位置に配されている。中立位置の操作軸１１の長手方向に沿って、前述した境界Ｂと並ぶことを、本明細書では、境界Ｂの上方に位置している及び対応していると記載する。則ち、凸部１７は、前述した境界Ｂの上方に設けられている。即ち、凸１７は、前述した境界Ｂ即ち互いに隣り合う検出スイッチ１３の間に対応している。凹部１８の最も通し孔９の中心Ｃから離れた底部１８ａは、図７に示すように、中立位置の操作軸１１の長手方向に沿って、互いに隣り合う境界Ｂの中央（境界Ｂ間）と並ぶ位置に配されている。中立位置の操作軸１１の長手方向に沿って、前述した境界Ｂ間則ち検出領域Ｒと並ぶことを、本明細書では、境界Ｂ間則ち検出領域Ｒの上方に位置している及び対応していると記載する。則ち、凹部１８は、互いに隣り合う境界Ｂ間の上方に設けられている。即ち、凹部１８は、検出スイッチ１３の各々と対応している。
【００４４】
このため、通し孔９の内縁１６の境界Ｂの上方に位置する箇所としての凸部１７の頂部１７ａの前記通し孔９の中心Ｃからの距離Ｄ１は、図７に示すように、通し孔９の内縁１６の隣り合う境界Ｂ間の上方に位置する箇所としての凹部１８の底部１８ａの前記通し孔９の中心Ｃからの距離Ｄ２より短い。さらに、通し孔９の内縁１６は、前述した凸部１７と凹部１８とに亘って曲面に形成されている。前述した凸部１７は、後述の規制状態で、揺動された操作軸１１に当接して、その揺動方向を規制する。このため、規制部材８は、操作軸１１の揺動方向を規制する。
【００４５】
切り換え機構２１は、図９及び図１１に示すように、操作軸１１に設けられた細部２３と、操作軸１１に設けられた太部２２と、移動手段としての移動部２５と、付勢手段としてのコイルばね２６とを備えている。細部２３は、操作軸１１の他端部１１ｂに設けられている。太部２２は、細部２３より操作軸１１の一端部１１ａ側に設けられている。太部２２は、細部２３に連なりかつこの細部２３より太い。このため、細部２３と太部２２とは、操作軸１１の長手方向に沿って連なるように操作軸１１に設けられている。
【００４６】
移動部２５は、図９及び図１１に示すように、ジョイスティック５の支持部１０内に設けられている。移動部２５には、前記係止部２４が係止して、操作軸１１の一端部１１ａが取り付けられている。移動部２５は、係止部２４が係止することで、操作軸１１の一端部１１ａ則ち太部２２を、一端部１１ａを中心として図９及び図１１中の点線で示す位置間で前述したように多方向に揺動自在に支持している。
【００４７】
また、移動部２５は、操作軸１１の長手方向に沿って、前述した太部２２則ち操作軸１１を移動自在に支持している。移動部２５は、前述した太部２２則ち操作軸１１を移動自在に支持することで、操作軸１１と規制部材８とのうち少なくとも一方を操作軸１１の長手方向に沿って移動自在にしている。
【００４８】
コイルばね２６は、内側に操作軸１１の係止部２４を通すとともに、移動部２５と操作軸１１の太部２２との間に設けられている。コイルばね２６は、太部２２が移動部２５から離れる方向則ち操作軸１１が支持部１０から離れる方向に、太部２２則ち操作軸１１を付勢している。
【００４９】
前述した構成の切り換え機構２１は、コイルばね２６が太部２２を付勢しかつ移動部２５が操作軸１１を移動自在に支持することで、図９及び図１１に示す規制状態と、図１１及び図１２に示す非規制状態とに亘って、操作軸１１を移動自在にする。規制状態では、コイルばね２６の付勢力により、操作軸１１が支持部１０則ち本体部１２から最も突出した状態となっている。
【００５０】
規制状態では、図９に示すように、操作軸１１の太部２２が、通し孔９の径方向に沿って、通し孔９の内縁１６即ち凸部１７と相対する。このことを、本明細書では、移動部２５により太部２２と凸部１７とが位置決めされるという。規制状態では、操作軸１１を支持部１０に向けて倒して（揺動して）、矢印Ｋに沿って回転した時の規制部材８の表面上での操作軸１１の太部２２の軌跡Ｌ１（図１３中に二点鎖線で示す）は、通し孔９の凸部１７と干渉する。このため、規制状態では、操作軸１１を支持部１０則ち本体部１２に向けて倒す（揺動する）と、太部２２が、通し孔９の凸部１７に接触する。
【００５１】
このため、規制状態では、操作軸１１は、太部２２が凸部１７に接触して、支持部１０則ち本体部１２に向けて倒された（揺動された）際に、前述した境界Ｂ即ち互いに隣り合う検出スイッチ１３の間に位置しないように、凸部１７則ち規制部材８に揺動方向が規制される。規制状態では、操作軸１１は、太部２２が凸部１７に接触して、支持部１０則ち本体部１２に向けて倒された（揺動された）際に、前述した境界Ｂ即ち互いに隣り合う検出スイッチ１３の間から互いに隣り合う検出領域Ｒのうちいずれか一方に一端部１１ａが接触するように、凸部１７則ち規制部材８に案内される。このように、規制状態では、操作軸１１の揺動方向が規制される。又、規制状態は、前記操作軸１１が互いに隣り合う検出スイッチ１３の間に向かって揺動された際に前記検出スイッチ１３のうちのいずれか一方に導かれる状態である。
【００５２】
非規制状態では、図１１に示すように、規制状態から操作軸１１がコイルばね２６の付勢力に抗して、支持部１０に向かって近づけられている。非規制状態では、操作軸１１の細部２３が、通し孔９の径方向に沿って、通し孔９の内縁１６即ち凹部１８と相対する。このことを、本明細書では、移動部２５により細部２３と凸部１７とが位置決めされるという。非規制状態では、操作軸１１を支持部１０に向けて倒して（揺動して）、矢印Ｋに沿って回転した時の規制部材８の表面上での操作軸１１の細部２３の軌跡Ｌ２（図１４中に二点鎖線で示す）は、通し孔９の凸部１７と干渉せずに、凸部１７と間隔をあける。このため、非規制状態では、操作軸１１を支持部１０則ち本体部１２に向けて倒す（揺動する）と、細部２３が、通し孔９の凸部１７に接触しない。
【００５３】
このため、非規制状態では、操作軸１１は、細部２３が凸部１７と間隔をあけて、支持部１０則ち本体部１２に向けて倒された（揺動された）際に、前述した境界Ｂ即ち互いに隣り合う検出スイッチ１３の間に位置することが許容される。このように、非規制状態では、操作軸１１の揺動方向が規制されない。
【００５４】
このように、切り換え機構２１は、規制部材８が互いに隣り合う検出領域Ｒのいずれか一方に一端部１１ａが侵入するように操作軸１１を案内する規制状態と、操作軸１１が境界Ｂの上方に位置することを許容する非規制状態とが切り換え可能である。操作装置１は、前記移動部２５によって前記細部２３と前記凸部１７とが位置決めされることにより前記非規制状態とし、前記太部２２と前記凸部１７とが位置決めされることにより前記規制状態とする。
【００５５】
前述した操作装置１は、コイルばね２６内に通して、操作軸１１の係止部２４を支持部１０の移動部２５に係止する。そして、ジョイスティック５を組み立てる。支持部１０を下カバー７内に収容し、通し孔９の内側に操作軸１１を通して、下カバー７と規制部材８とを互いに固定する。そして、操作軸１１の他端部１１ｂにノブ６が取り付けられて得られる。
【００５６】
前述した操作装置１を用いて、前述したカーナビ２の操作則ちディスプレイ３に表示する地図データＡを移動する際には、例えば、操作軸１１をコイルばね２６の付勢力に抗して、支持部１０則ち本体部１２に向けて押圧して、非規制状態にする。細部２３と凸部１７とが位置決めされる。そして、この非規制状態で、地図データＡを移動したい方向に操作軸１１を倒す。すると、操作軸１１が倒された方向に対応した検出スイッチ１３に操作軸１１の一端部１１ａが接触したことを検出して、操作軸１１が倒された方向に対応してディスプレイ３に表示する地図データＡが移動する。
【００５７】
例えば、図６中の上方に表示する地図データＡを移動させたい場合には、図５中の矢印Ｋ１に沿って操作軸１１の他端部１１ｂ則ちノブ６を図５中の上方向に向けて移動する（倒す）。すると、図６中の最も上方に位置する検出スイッチ１３ａに、操作軸１１の一端部１１ａが接触して、このことを示す情報をカーナビ２則ちディスプレイ３に向かって出力する。すると、ディスプレイ３が表示する地図データＡは、上方に向けて移動する。
【００５８】
また、ディスプレイ３に前述した文字や数字を表示して、これらの文字や数字から所望の文字や数字を選択して、装置本体２０に入力する際には、例えば、操作軸１１を規制状態に維持する。太部２２と凸部１７とが、位置決めされる。そして、この規制状態で、カーソルを移動したい方向に操作軸１１を倒す。すると、操作軸１１が倒された方向に対応した検出スイッチ１３に操作軸１１の一端部１１ａが接触したことを検出して、操作軸１１が倒された方向に対応してディスプレイ３に表示するカーソルが移動する。
【００５９】
このとき、例えば、図１５に示すように、操作軸１１を図５中の矢印Ｋ７，Ｋ８間の中央の矢印Ｋ９に沿って倒す（揺動する）と、図１６に示すように、操作軸１１の太部２２が規制部材８の通し孔９の内縁１６の凸部１７に接触する。則ち、倒された（揺動した）操作軸１１は、前述した境界Ｂ即ち互いに隣り合う検出スイッチ１３の間に位置する。
【００６０】
すると、凸部１７と太部２２とが干渉するので、ノブ６則ち操作軸１１は、図１５中の矢印Ｃ１または矢印Ｃ２方向に移動しようとする。則ち、操作軸１１が凹部１８内に侵入するように、ノブ６則ち操作軸１１が移動する。例えば、図１５中の矢印Ｃ１方向に操作軸１１が移動すると、図１７に示す位置に、操作軸１１が位置付けられる。そして、操作軸１１が倒れた位置に対応した検出スイッチ１３に一端部１１ａが接触して、ディスプレイ３に表示されるカーソルが移動する。
【００６１】
このように、規制状態では、規制部材８の通し孔９の内縁１６は、互いに隣り合う検出スイッチ１３の検出領域Ｒの境界Ｂに操作軸１１の一端部１１ａが位置すると、互いに隣り合う検出スイッチ１３の検出領域Ｒのうちいずれか一方に操作軸１１の一端部１１ａが接触するように、前記操作軸１１を案内する。即ち、操作軸１１が導かれる。こうして、規制状態では、カーソルを移動したい方向に対応する検出スイッチ１３が、確実に操作軸１１の一端部１１ａを検出できる。
【００６２】
本実施例によれば、切り換え機構２１により、規制部材８がいずれかの検出スイッチ１３に一端部１１ａが接触するように操作軸１１の揺動方向を規制する規制状態と、操作軸１１が互いに隣り合う検出スイッチ１３の間に位置することを許容して操作軸１１の揺動方向を規制しない非規制状態とが切り換え可能になっている。このため、互いに隣り合う検出スイッチ１３の間に操作軸１１が位置することを規制する状態と、互いに隣り合う検出スイッチ１３の間に操作軸１１が位置することを許容する状態と、を確実に切り換え可能とすることができる。
【００６３】
また、規制部材８は、内縁１６が凹凸状に形成された通し孔９を有している。切り換え機構２１は、操作軸１１に設けられた太部２２と、細部２３と、操作軸１１を移動させる移動部２５とを備えている。
【００６４】
規制状態では、太部２２と通し孔９の凸部１７とが接触する。このため、規制状態では、太部２２と通し孔９の凸部１７とを接触させることで、太部２２が凹部１８内に侵入するように、操作軸１１を案内できる。凸部１７は、互いに隣り合う検出スイッチ１３の間に位置し、凹部１８は対応する検出スイッチ１３に位置している。このため、規制状態では、操作軸１１が確実に境界Ｂ間則ち互いに隣り合う検出スイッチ１３のうちいずれかに一端部１１ａが接触するように案内される。
【００６５】
また、非規制状態では、細部２３が通し孔９の凸部１７と間隔をあけて相対する。このため、非規制状態では、通し孔９の内縁１６と干渉せずに、操作軸１１は、互いに隣り合う検出スイッチ１３の間に位置することができるとともに、いずれかの検出スイッチ１３に位置することができる。
【００６６】
このように、規制部材８の通し孔９の内縁１６を凹凸状に形成し、操作軸１１に太部２２と細部２３とを設け、移動部２５により操作軸１１を移動自在にしている。
【００６７】
こうすることで、複数の検出スイッチ１３の検出領域Ｒの境界Ｂの上方に操作軸１１が位置することを規制する状態と、境界Ｂの上方に操作軸１１が位置することを許容する状態と、を確実に切り換え可能とすることができる。
【００６８】
また、規制部材８の通し孔９の内縁１６が曲面に形成されている。このため、特に、規制状態で操作軸１１を倒した状態で回転しても、この操作軸１１をスムーズに回転することができる。
【００６９】
次に、本発明の第２の実施例を、図１８ないし図２３を参照して説明する。本実施例では、図１８及び図１９に示すように、カバー４を前述した下カバー７と、この下カバー７に取り付けられる上カバー１４とから構成し、規制部材８をカバー４内に収容している。上カバー１４と規制部材８は、勿論、本体部１２を構成している。
【００７０】
上カバー１４は、平板状に形成されており、中央に操作軸１１を通す孔１５が貫通している。孔１５は、円形に形成されており、通し孔９より大きい。孔１５は、中立位置での操作軸１１と、通し孔９との双方と同軸に配されている。また、上カバー１４と規制部材８とは、互いに重ねられている。上カバー１４には、図２０ないし図２３に示すガイド棒２７が設けられ、規制部材８には、ガイド棒２７が挿入されるガイド孔２８が設けられている。ガイド棒２７は、ガイド孔２８内に挿入されて、このガイド孔２８内を移動自在となっている。
【００７１】
このため、ガイド棒２７がガイド孔２８内を移動することで、規制部材８は、上カバー１４に接離する。なお、接離とは、近づいたり離れたりすることである。規制部材８は、上カバー１４に接離（近づいたり離れたり）することで、中立位置の操作軸１１の長手方向に沿って移動自在となる。
【００７２】
また、本実施例では、長手方向に沿って、操作軸１１が移動しないように、支持部１０に支持されている。
【００７３】
さらに、本実施例の操作装置１の切り換え機構２１は、前述した太部２２と細部２３にくわえ、移動手段としての移動機構２９を備えている。移動機構２９は、図１８ないし図２３に示すように、移動部材３０と、突出ピン３１と、挿入孔３２とを備えている。
【００７４】
移動部材３０は、カバー４則ち本体部１２に、上カバー１４の表面に沿って移動自在に支持されている（設けられている）。即ち、移動部材３０は、中立位置の操作軸１１の長手方向に直交（交差）する方向に沿って、移動自在に設けられている。移動部材３０は、上カバー１４の表面上に重ねられる平板状の上カバー重なり部３３と、この上カバー重なり部３３に連なりかつ下カバー７の側壁に重ねられる平板状の下カバー重なり部３４とを一体に備えている。上カバー重なり部３３の表面と下カバー重なり部３４の表面とは、互いに交差（直交）している。
【００７５】
突出ピン３１は、規制部材８の外縁から本体部１２の外方向に伸びた棒状に形成されている。突出ピン３１は、カバー４の外側に突出している。挿入孔３２は、移動部材３０の下カバー重なり部３４を貫通している。挿入孔３２は、長孔状に形成されている。挿入孔３２の長手方向は、中立位置の操作軸１１の長手方向と、上カバー１４の表面則ち移動部材３０の移動方向との双方に対し交差する方向に沿って延在している。挿入孔３２内には、突出ピン３１が侵入する。また、挿入孔３２内の突出ピン３１は、この挿入孔３２の長手方向に沿って移動自在になっている。
【００７６】
移動部材３０が上カバー１４の表面に沿って移動することで、突出ピン３１は、図１９に示す挿入孔３２の操作軸１１の一端部１１ａ寄りの一端部３２ａ内と、図１８に示す挿入孔３２の操作軸１１の他端部１１ｂ寄りの他端部３２ｂ内とに亘って移動する。また、突出ピン３１が、挿入孔３２内を移動することで、規制部材８が上カバー１４に接離する。即ち、突出ピン３１が、挿入孔３２内を移動することで、規制部材８が中立位置の操作軸１１の長手方向に沿って移動する。
【００７７】
突出ピン３１が挿入孔３２の他端部３２ｂ内に位置すると、規制部材８は、図２０及び図２１に示すように、上カバー１４に近づいて、この上カバー１４に間隔をあけずに重なる。図１８、図２０及び図２１に示すように、規制部材８が上カバー１４に間隔をあけずに重なる状態は、前述した非規制状態をなしている。また、突出ピン３１が挿入孔３２の一端部３２ａ内に位置すると、規制部材８は、図２２及び図２３に示すように、上カバー１４から離れて、この上カバー１４と間隔をあける。図１９、図２２及び図２３に示すように、規制部材８が上カバー１４と間隔をあけた状態は、前述した規制状態をなしている。
【００７８】
このように、移動機構２９は、移動部材３０を本体部１２に対し移動して、挿入孔３２内の突出ピン３１の位置を変更することで、規制部材８を操作軸１１の長手方向に沿って移動する。移動機構２９は、規制部材８を移動自在に支持することで、操作軸１１と規制部材８とのうち少なくとも一方を操作軸１１の長手方向に沿って移動自在にしている。
【００７９】
そして、移動機構２９則ち切り換え機構２１は、移動部材３０を本体部１２に対し移動することで、前述した規制状態と非規制状態とを切り換え可能である。勿論、本実施例においても、規制状態では、操作軸１１の太部２２と、通し孔９の凸部１７とが干渉（接触）する。非規制状態では、操作軸１１の細部２３が、通し孔９の凸部１７と干渉（接触）せずに、該凸部１７と間隔をあける。
【００８０】
また、本実施例では、移動部材３０を移動する際にクリック感（節度感）を使用者に付与するために、図２０ないし図２３に示すように、移動部材３０に上カバー１４に向けて凸の突起３５を一つ設け、上カバー１４に前記突起３５が係止する凹み３６を一対設けている。
【００８１】
一対の凹み３６のうち一方に突起３５が係止することで、移動部材３０は、前述した規制状態と非規制状態のうち一方に保たれる。前述した一方に係止した突起３５が、この一方から抜け出て、他方に係止することで、移動部材３０は、前述した規制状態と非規制状態とに亘って移動する。突起３５が凹み３６から抜け出る時と凹み３６内に侵入する時には、移動部材３０と上カバー１４などが弾性変形する。この弾性変形により生じる弾性復元力により、前述したクリック感（節度感）が生じる。
【００８２】
本実施例においても前述した第１の実施例と同様に、ディスプレイ３に表示された地図データＡの表示領域を移動する際には、図１８、図２０及び図２１に示す非規制状態に、移動機構２９を保って、操作軸１１を所望の方向に倒す。また、ディスプレイ３に表示された所望の文字や数字上にカーソルを移動する際には、図１９、図２２及び図２３に示す規制状態に、移動機構２９を保って、操作軸１１を所望の方向に倒す。
【００８３】
本実施例によれば、切り換え機構２１により、規制部材８がいずれかの検出スイッチ１３に一端部１１ａが接触するように操作軸１１の揺動方向を規制する規制状態と、操作軸１１が互いに隣り合う検出スイッチ１３の間に位置することを許容して、操作軸１１の揺動方向を規制しない非規制状態とが切り換え可能になっている。このため、互いに隣り合う検出スイッチ１３の間に操作軸１１が位置することを規制する状態と、互いに隣り合う検出スイッチ１３の間に操作軸１１が位置することを許容する状態と、を確実に切り換え可能とすることができる。
【００８４】
規制部材８は、内縁１６が凹凸状に形成された通し孔９を有している。切り換え機構２１は、操作軸１１に設けられた太部２２と、細部２３と、規制部材８を移動する移動機構２９とを備えている。
【００８５】
規制状態では、太部２２と通し孔９の凸部１７とが接触する。このため、規制状態では、太部２２と通し孔９の凸部１７とを接触させることで、太部２２が凹部１８内に侵入するように、操作軸１１を案内する。凸部１７は互いに隣り合う検出スイッチ１３の間に位置し、凹部１８は検出スイッチ１３に対応する位置に位置している。このため、規制状態では、操作軸１１が確実に境界Ｂ間則ち互いに隣り合う検出スイッチ１３のうちいずれかの検出スイッチ１３に導かれる。
【００８６】
また、規制状態では、細部２３が通し孔９の凸部１７と間隔をあけて相対する。このため、非規制状態では、通し孔９の内縁１６と干渉せずに、操作軸１１は、互いに隣り合う検出スイッチ１３の間に位置することができるとともに、境界Ｂ間則ちいずれかの検出スイッチ１３に対応する位置に位置することができる。
【００８７】
このように、規制部材８の通し孔９の内縁１６を凹凸状に形成し、操作軸１１に太部２２と細部２３とを設け、移動機構２９により規制部材８を移動自在にしている。こうすることで、互いに隣り合う検出スイッチ１３の間に操作軸１１が位置することを規制する状態と、複数の検出スイッチ１３の検出領域Ｒの境界Ｂの上方に操作軸１１が位置することを許容する状態と、を確実に切り換え可能とすることができる。
【００８８】
移動機構２９が規制部材８を移動するので、太部２２が通し孔９の凸部１７に接触可能な状態と、細部２３が通し孔９の凸部１７と間隔をあける状態とが切り換え可能となっている。これにより、規制状態と非規制状態とを確実に切り換えることができる。
【００８９】
移動機構２９は、本体部１２に移動自在な移動部材３０と、規制部材８に設けられた突出ピン３１と、移動部材３０の移動方向と中立位置の操作軸１１の長手方向との双方に交差する方向に沿って延在しかつ突出ピン３１が侵入するとともに移動部材３０に設けられた挿入孔３２とを備えている。これにより、移動機構２９は、移動部材３０を移動することで、挿入孔３２内の突出ピン３１の位置を適宜変更して、規制部材８を操作軸１１の長手方向に沿って、確実に移動できる。これにより、操作軸１１と規制部材８とを確実に相対的に移動することができる。
【００９０】
これにより、太部２２が通し孔９の凸部１７に接触可能な状態と、細部２３が通し孔の凸部１７と間隔をあける状態とが切り換え可能となっている。このため、規制状態と非規制状態とを確実に切り換えることができる。
【００９１】
規制部材８の通し孔９の内縁１６が曲面に形成されている。このため、特に、規制状態で操作軸１１を倒した状態で回転しても、この操作軸１１をスムーズに回転することができる。
【００９２】
前述した第２の実施例では、上カバー１４にガイド棒２７を設け、規制部材８にガイド孔２８を設けている。しかしながら、本発明では、上カバー１４にガイド孔２８を設け、規制部材８にガイド棒２７を設けても良い。要するに、本発明では、上カバー１４則ち本体部１２と規制部材８との一方に中立位置の操作軸１１の長手方向と平行なガイド棒２７を設け、他方にガイド棒２７が侵入して摺動（移動）自在なガイド孔２８を設けて、規制部材８を上カバー則ち本体部１２に対し移動自在にすれば良い。
【００９３】
また、前述した第２の実施例では、規制部材８に突出ピン３１を設け、移動部材３０に挿入孔３２を設けている。しかしながら、本発明では、規制部材８に挿入孔３２を設け、移動部材３０に突出ピン３１を設けても良い。要するに、本発明では、規制部材８と移動部材３０との一方に中立位置の操作軸１１の長手方向に交差（直交）する突出ピン３１を設け、他方に突出ピン３１が侵入して摺動（移動）自在な挿入孔３２を設けて、規制部材８を上カバー則ち本体部１２に対し移動すれば良い。
【００９４】
さらに、前述した第２の実施例では、移動部材３０に突起３５を設け、上カバー１４則ち本体部１２に凹み３６を設けている。しかしながら、本発明では、移動部材３０に凹み３６を設け、上カバー１４則ち本体部１２に突起３５を設けても良い。要するに、本発明では、移動部材３０と上カバー１４則ち本体部１２との一方に他方に向かって凸の突起３５を設け、他方に突起３５が係止する凹み３６を設けて、移動部材３０の移動時に使用者にクリック感（節度感）を付与できるようにすれば良い。
【００９５】
前述した第１及び第２の実施例では、規制部材８をゴムなどの弾性材料から構成しても良い。この場合、前述した規制状態で、例えば、前述した矢印Ｋ９に沿って操作軸１１を中立位置から倒す。すると、操作軸１１が倒される則ち支持部１０に対し傾くのにしたがって、規制部材８は、図２４及び図２５に示すように、凸部１７に太部２２が接触して、凸部１７が通し孔９の中心Ｃから離れる方向に弾性変形する。すると、この規制部材８の弾性復元力により操作軸１１を更に倒す則ちノブ６を更に規制部材８に押し付けると、一端部１１ａがいずれかの検出領域Ｒ内に侵入するように、操作軸１１が案内される。
【００９６】
また、例えば、規制状態で、操作軸１１が中立位置から支持部１０に対して倒れて前述した凹部１８内に侵入した状態で、支持部１０を中心として、図１１中の矢印Ｋに沿って操作軸１１を回転することがある。すると、図２６に示すように、操作軸１１の太部２２が通し孔９の内縁１６の凸部１７に接触するとともに、操作軸１１により押圧されて凸部１７が通し孔９の中心Ｃから離れる方向に弾性変形する。そして、操作軸１１が、支持部１０に対し倒れた状態で、この支持部１０を中心として回転する。
【００９７】
この場合、規制部材８は、弾性材料からなるので、特に規制状態で操作軸１１の太部２２が凸部１７に接触すると、凸部１７が通し孔９の中心Ｃから離れる方向に弾性変形する。この弾性変形の弾性復元力により、操作軸１１は、凹部１８内に案内される。このように、規制部材８を弾性材料から構成することで、規制状態で、規制部材８は、互いに隣り合う検出スイッチ１３の検出領域Ｒのいずれか一方に一端部１１ａが侵入するように操作軸１１を確実に案内できる。
【００９８】
前述した第１の実施例では操作軸１１を移動し、第２の実施例では規制部材８を移動している。しかしながら、本発明では、操作軸１１と規制部材８との双方を移動しても良い。要するに、本発明では、操作軸１１と規制部材８とのうち少なくとも一方を移動すれば良い。
【００９９】
前述した第１及び第２の実施例では、操作装置１は、電子機器としてのカーナビ２の操作の為に用いられている。しかしながら、本発明の操作装置１は、周知のゲーム装置などの各種の電子機器の各種の操作に用いても良い。
【０１００】
なお、前述した実施例は本発明の代表的な形態を示したに過ぎず、本発明は、実施例に限定されるものではない。即ち、本発明の骨子を逸脱しない範囲で種々変形して実施することができる。
【０１０１】
前述した実施例によれば、以下の操作装置１が得られる。
【０１０２】
（付記１）  一端部１１ａを中心として多方向に揺動自在な操作軸１１と、
前記操作軸１１の一端部１１ａを中心とした周方向に複数設けられているとともに、前記操作軸１１が揺動したことを検出する検出スイッチ１３と、を備え、
前記操作軸１１の揺動方向を規制する規制手段と、
前記規制手段により前記操作軸１１の揺動方向が規制される規制状態と規制されない非規制状態とを切り換え可能な切り換え機構２１と、
を備えたことを特徴とする操作装置１。
【０１０３】
（付記２）  前記規制状態は、前記操作軸１１が互いに隣り合う検出スイッチ１３の間に向かって揺動された際に前記検出スイッチ１３のうちのいずれか一方に導かれる状態であることを特徴とする付記１記載の操作装置１。
【０１０４】
（付記３）  前記規制手段は、揺動された操作軸１１に当接してその揺動方向を規制する凸部１７を有する規制部材８を備え、
前記切り換え機構２１は、前記操作軸１１の長手方向に沿って連なるように前記操作軸１１に設けられた細部２２と太部２３と、前記操作軸１１と前記規制部材８のうち少なくとも一方を前記長手方向に沿って移動自在にする移動手段２５，２９を備え、
前記移動手段２５，２９によって前記細部２３と前記凸部１７とが位置決めされることにより前記非規制状態とし、前記太部２２と前記凸部１７とが位置決めされることにより前記規制状態とすることを特徴とする付記１又は２に記載の操作装置１。
【０１０５】
（付記４）  移動手段２５，２９は、
前記操作軸１１の長手方向に対し交差する方向に沿って移動自在に設けられた移動部材３０と、
前記規制部材８と前記移動部材３０のうち一方に設けられかつこの一方から他方に向かって突出した突出ピン３１と、
前記規制部材８と前記移動部材３０のうち他方に設けられかつ前記突出ピン３１が侵入するとともに、前記移動部材３０の移動方向と前記操作軸１１の長手方向との双方に対し交差する方向に沿って延在している挿入孔３２と、を備え、
前記移動部材３０を移動して、前記挿入孔３２内の突出ピン３１の位置を変更することで、前記規制部材８を前記操作軸１１の長手方向に沿って移動することを特徴とする付記３記載の操作装置１。
【０１０６】
（付記５）  前記規制部材８は、弾性材料からなることを特徴とする付記２ないし付記４のうちいずれか一項に記載の操作装置１。
【０１０７】
付記１に記載の操作装置１によれば、切り換え機構２１により、規制手段が規制状態と非規制状態とに切り換え可能になっている。このため、互いに隣り合う検出スイッチ１３の間に操作軸１１が位置することを規制する状態と、互いに隣り合う検出スイッチ１３の間に操作軸１１が位置することを許容する状態と、を確実に切り換え可能とすることができる。
【０１０８】
付記２に記載の操作装置１によれば、規制状態では、操作軸１１が互いに隣り合う検出スイッチ１３の間に揺動されると、これらの検出スイッチ１３のうち一方に導かれる。このため、規制状態では、互いに隣り合う検出スイッチ１３の間に操作軸１１が位置することを確実に規制できる。
【０１０９】
付記３に記載の操作装置１によれば、規制手段は、操作軸１１に当接する凸部１７を有した規制部材８を備えている。切り換え機構２１は、操作軸１１に設けられた太部２２と、細部２３と、操作軸１１と規制部材８のうち少なくとも一方を移動させる移動手段２５，２９とを備えている。
【０１１０】
規制状態では、太部２２と凸部１７とが接触する。このため、規制状態では、太部２２と凸部１７とを接触させることで、太部２２が凸部１７からずれるように、操作軸１１を案内する。このため、規制状態では、操作軸１１が確実にいずれかの検出領域Ｒ内に案内される。
【０１１１】
また、非規制状態では、太部２２と凸部１７とが接触する状態から操作軸１１と規制部材８のうち少なくとも一方を移動して、細部２３と凸部１７とを位置決めする。このため、非規制状態では、細部２３と凸部１７とが干渉せずに、操作軸１１は、互いに隣り合う検出スイッチ１３の間に位置することができるとともに、いずれかの検出スイッチ１３に対応する位置に位置することができる。
【０１１２】
このように、規制部材８に凸部１７を設けし、操作軸１１に太部２２と細部２３とを設け、移動手段２５，２９により操作軸１１と規制部材８とのうち少なくとも一方を移動自在にしている。こうすることで、互いに隣り合う検出スイッチ１３の間に操作軸１１が位置することを規制する状態と、互いに隣り合う検出スイッチ１３の間に操作軸１１が位置することを許容する状態と、を確実に切り換え可能とすることができる。
【０１１３】
付記４に記載の操作装置１によれば、移動機構２９は、規制部材８に設けられた突出ピン３１と、移動部材３０に設けられ突出ピン３１が侵入する挿入孔３２とを備えている。これにより、移動機構２９は、移動部材３０を移動することで、挿入孔３２内の突出ピン３１の位置を適宜変更して、規制部材８を操作軸１１の長手方向に沿って、確実に移動できる。これにより、操作軸１１と規制部材８とを確実に相対的に移動することができる。
【０１１４】
これにより、太部２２が凸部１７に接触可能な状態と、細部２３が凸部１７と間隔をあける状態とが切り換え可能となっている。このため、規制状態と非規制状態とを確実に切り換えることができる。
【０１１５】
付記５に記載の操作装置１によれば、規制部材８は、弾性材料からなるので、特に規制状態で操作軸１１が凸部１７に接触すると、凸部１７が通し孔９の中心Ｃから離れる方向に弾性変形する。この弾性変形の弾性復元力により、操作軸１１は、凸部１７からずれるように案内される。このように、規制部材８は、互いに隣り合う検出スイッチ１３の検出領域Ｒのいずれか一方に一端部１１ａが侵入するように操作軸１１を確実に案内できる。
【図面の簡単な説明】
【０１１６】
【図１】本発明の一実施例にかかる操作装置が取り付けられる電子機器としてのカーナビの外観を示す斜視図である。
【図２】本発明の第１の実施例にかかる操作装置を示す斜視図である。
【図３】図２に示された操作装置を分解して示す斜視図である。
【図４】図１に示されたカーナビのディスプレイの正面図である。
【図５】図２に示された操作装置の正面図である。
【図６】図２中のＶＩ−ＶＩ線に沿う断面図である。
【図７】図２に示された操作装置の規制部材と操作軸と検出領域との相対的な位置関係を示す正面図である。
【図８】図２に示された操作装置の操作軸からノブを取り外した状態を示す正面図である。
【図９】図８中のＢ−Ｂ線に沿う規制状態での断面図である。
【図１０】図９に示された操作軸が揺動して太部が凸部に接触した状態を示す斜視図である。
【図１１】図８中のＢ−Ｂ線に沿う非規制状態での断面図である。
【図１２】図１１に示された操作軸が揺動して細部が凸部と間隔をあけた状態を示す斜視図である。
【図１３】図９に示された規制状態での太部の軌跡と規制部材とを示す説明図である。
【図１４】図１１に示された非規制状態での細部の軌跡と規制部材とを示す説明図である。
【図１５】図８に示された操作装置の操作軸を境界の上方に位置するように倒した状態を示す正面図である。
【図１６】図１５に示された操作軸の太部と規制部材の通し孔の凸部を示す説明図である。
【図１７】図１５に示された状態から矢印Ｃ１に沿って操作軸が移動した時の太部と規制部材の通し孔の凹部を示す説明図である。
【図１８】本発明の第２の実施例にかかる非規制状態の操作装置を示す斜視図である。
【図１９】図１８に示された操作装置の規制状態を示す斜視図である。
【図２０】図１８中の矢印ＸＸ方向から見た移動部材などを示す平面図である。
【図２１】図１８中のＸＸＩ−ＸＸＩ線に沿う移動部材などを示す断面図である。
【図２２】図１９中の矢印ＸＸＩＩ方向から見た移動部材などを示す平面図である。
【図２３】図１９中のＸＸＩＩＩ−ＸＸＩＩＩ線に沿う移動部材などを示す断面図である。
【図２４】本発明の操作装置の規制部材が弾性材料からなる時に、太部が凸部に接触した状態を説明する断面図である。
【図２５】図２４に示された規制部材と太部とを示す平面図である。
【図２６】図２４に示された規制部材の凸部に、倒された状態で回転した操作軸が凸部に接触した状態を示す平面図である。
【符号の説明】
【０１１７】
１  操作装置
２  ナビゲーション装置（電子機器）
８  規制部材（規制手段）
９  通し孔
１０  支持部
１１  操作軸
１１ａ  一端部
１１ｂ  他端部
１３，１３ａ  検出スイッチ（検出手段）
１６  内縁
１７  凸部
１８  凹部
２１  切り換え機構（切換手段）
２２  太部
２３  細部
２５  移動部（移動手段）
２９  移動機構（移動手段）
３０  移動部材
３１  突出ピン
３２  挿入孔
Ｂ  境界
Ｃ  中心
Ｄ１，Ｄ２  距離
Ｒ  検出領域
【図１】
2005222256.tif 000003
【図２】
2005222256.tif 000004
【図３】
2005222256.tif 000005
【図４】
2005222256.tif 000006
【図５】
2005222256.tif 000007
【図６】
2005222256.tif 000008
【図７】
2005222256.tif 000009
【図８】
2005222256.tif 000010
【図９】
2005222256.tif 000011
【図１０】
2005222256.tif 000012
【図１１】
2005222256.tif 000013
【図１２】
2005222256.tif 000014
【図１３】
2005222256.tif 000015
【図１４】
2005222256.tif 000016
【図１５】
2005222256.tif 000017
【図１６】
2005222256.tif 000018
【図１７】
2005222256.tif 000019
【図１８】
2005222256.tif 000020
【図１９】
2005222256.tif 000021
【図２０】
2005222256.tif 000022
【図２１】
2005222256.tif 000023
【図２２】
2005222256.tif 000024
【図２３】
2005222256.tif 000025
【図２４】
2005222256.tif 000026
【図２５】
2005222256.tif 000027
【図２６】
2005222256.tif 000028